(57)【要約】【課題】レストラン、商店などの店頭に簡単に設置したり取り込むことができ、しかもどの方向からでも広告態様を視認することができるようにした。【解決手段】上下方向のポール２１の上端に支持フレーム３１を、高さの途中に保持フレーム４１を設けてなるフレーム本体１１に、下端が開放する縦長な筒状の広告表示シート５１を被着し、前記ポール２１の下端を台座６１に着脱可能に設けてなる。【選択図】図２
0003126023.tif 000002
【実用新案登録請求の範囲】
【請求項１】
上下方向のポールの上端に支持フレームを、高さの途中に保持フレームを設けてなるフレーム本体に、下端が開放する縦長な筒状の広告表示シートを被着し、前記ポールの下端を台座に着脱可能に挿着してなることを特徴とする広告装置。
【請求項２】
前記ポールは、複数本の単位ポールを接続してなる請求項１に記載の広告装置。
【請求項３】
前記支持フレーム及び保持フレームは、拡開したり折り畳むことができ、また筒状の広告表示シートは前記フレーム本体に装脱可能である請求項１に記載の広告装置。
【考案の詳細な説明】
【技術分野】
【０００１】
本考案は、飲食店、各種商品を販売する小売店等の店頭に設置する広告装置に関するものである。
【背景技術】
【０００２】
飲食店や商店などの店頭において、縦長なコ字状のフレームに立て板からなる看板を設けた広告体が広範に使用されている。しかし、上記した従来の広告体は、視界において方向性があるばかりでなく単純なので広告価値が少ない。
【０００３】
上記した簡易な広告体に対して、防水剤含浸紙からなる段ボールを広告板として基枠体に挿入してなる屋外用の広告体が知られている。
【特許文献１】特開平１０−１８７０７６号公報
【考案の開示】
【考案が解決しようとする課題】
【０００４】
しかし、特許文献１に記載された従来の広告体では、板状であって正面から、及び裏面からしか広告態様を視認できないので、側面から見た場合の広告価値がない。また、広告板に記載した文字、図形、模様などからなる広告態様を変更することができないので、一般の商店における店頭の屋外用広告媒体としての価値が少ない。
【課題を解決するための手段】
【０００５】
本考案における課題を解決するための手段は、上下方向のポールの上端に支持フレームを、高さの途中に保持フレームを設けてなるフレーム本体に、下端が開放する縦長な筒状の広告表示シートを被着し、前記ポールの下端を台座に着脱可能に挿着してなることを特徴とするものである。
【考案の効果】
【０００６】
本考案の広告装置は、特にどの方向からでも広告態様を視認することができるので広告としての価値観を高めることができるばかりでなく、筒状の広告表示シートを交換できるので広告態様に変化をもたらせることができ、しかも簡単に組み立てたり折り畳むことができるので、開店時には店頭に出して、閉店時若しくは休日には店内に収納することにより、破損したり汚損されないで長期間の使用に耐えるものである。
【考案を実施するための最良の形態】
【０００７】
上下方向のポールの上端に支持フレームを、高さの途中に保持フレームを設けてなるフレーム本体に、下端が開放する縦長な筒状の広告表示シートを被着し、前記ポールの下端を台座に着脱可能に装着してなることを特徴とする。
【実施例１】
【０００８】
以下に本考案の実施例を図面に基づいて説明する。
本考案に係わる広告装置１は、フレーム本体１１が主要構成部材で、前記フレーム本体１１は、上下方向に延在するポール２１の上端に支持フレーム３１を、高さの途中に保持フレーム４１を設けて構成し、また前記フレーム本体１１に縦長な筒状の広告表示シート５１を被着するとともに、前記ポールの下端を台座６１に着脱可能に挿着してなる構成である。
【０００９】
前記上下方向のポール２１は、複数本（図面の実施例では３本）のパイプ状単位ポール２２を着脱可能に連結してなる。前記各単位ポール２２には一端部に小径な雄部２３を設け、上下に隣り合う単位ポール２２の他端開放部に前記雄部２３を装着することにより、複数本の単位ポール２２を直線状に一体的に連結したり、若しくは分離させることができる。
【００１０】
前記支持フレーム３１は、前記ポール２１の上端に設けた第１の上ロクロ３２に複数本の第１の親骨３３の一端部を枢着し、前記ポール２１に摺動可能に設けた第１の下ロクロ３４に一端部を枢着した第１の支骨３５の先端部を、前記第１の親骨３３の途中に枢着した傘の骨構造とほぼ同様の構成である。
【００１１】
そして、前記第１の下ロクロ３４は、押圧により単位ポール２２内に入り込んだり、または付勢によって表面に突出する第１のハジキ３６により係止され、また前記複数本の親骨３３の先端間には細いワイヤー、ロープなどからなる屈曲可能な第１の線材３７を無端状に掛け渡して支持フレーム３１の外周縁部を構成する。
【００１２】
したがって、前記支持フレーム３１は、第１の下ロクロ３４が第１のハジキ３６で係止されている状態では第１の支骨３５を介して第１の親骨３３が横方向に延びているので、傘が開いたような形態の、組み立て状態である。しかし、第１のハジキ３６を押圧して第１の下ロクロ３４の係止を解除してから、第１の下ロクロ３４をポール２１に沿い下降させると、各第１の支骨３５及び第１の親骨３３がポール２１に沿う状態になるので、傘が畳まれた形態の折り畳み状態に変換する。
【００１３】
このように、前記支持フレーム３１は、手動操作によって傘が開いたような組み立て状態と、傘が畳まれたような折り畳み状態とを手動操作によって自由に変換することができる。
【００１４】
前記ポール２１の高さの途中に設ける前記保持フレーム４１は、前記支持フレーム３１とほとんど同様の構成であって、前記ポール２１の下方に設けた第２の上ロクロ４２に複数本の第２の親骨４３の一端部を枢着し、前記ポール２１に摺動可能に設けた第２の下ロクロ４４に一端部を枢着した第２の支骨４５の先端部を前記親骨４３の途中に枢着した傘の骨構造とほぼ同様の構成である。
【００１５】
そして、前記第２の下ロクロ４４は、押圧により単位ポール２２内に入り込んだり、または付勢によって表面に突出する第２のハジキ（図示せず）により係止され、また前記複数本の親骨３３の先端間には細いワイヤー、ロープなどからなる屈曲可能な第１の線材４６を無端状に掛け渡して保持フレーム４１の外周縁部を構成する。
【００１６】
したがって、前記保持フレーム４１は、第２の下ロクロ４４が第２のハジキで係止されている状態では第２の支骨４５を介して第２の親骨４３が横方向に延びているので、傘が開いた形態の組み立て状態である。しかし、第２のハジキを押圧して第２の下ロクロ４４をポール２１に沿い下降させると、各第２の支骨４５及び第２の親骨４３がポール２１に沿う状態になるので傘が畳まれた形態の折り畳み状態に変換する。
なお、前記保持フレーム４１は、前記上下方向のポール２１における最下段の単位ポール２２に設けるのがよい。
【００１７】
前記広告表示シート５１は、不透明若しくは半透明で、耐水性を有する強靱な布帛、樹脂シートからなり、前記フレーム本体１１とほぼ同一長さの筒状シート本体５２の上端に、高さの低い錐状の上面部５３を設けるとともに下端を開放した構成で、前記筒状シート本体５２の表面に文字、図形、記号若しくは模様などからなる広告表示５４を設けた構成である。
【００１８】
前記台座６１は、前記フレーム本体１１に広告表示シート５１を被着した状態で取り付けて、風雨などにより充分に耐える重量を有する石材、金属材などからなる塊状で、表面の中央に凹部６２を設けてポール２１の下端を挿着したり、取り外すことができる。そして、前記ポール２１の下端を凹部６２に挿着した状態では、フレーム本体１１が台座６１から直立状になる。
【００１９】
前記筒状シート本体５２は、支持フレーム３１及び保持フレーム４１を組み立てた状態において、フレーム本体１１に上から被着したり取り外すことができ、被着した状態では上面部５３が支持フレーム３１の上面を覆うとともに筒状シート５２の下方が保持フレーム４１の外周縁部で保持される。
したがって、前記筒状シート本体５２は、フレーム本体１１に被着されて皺になったり捲り上がることがない。
【００２０】
なお、フレーム本体１１のポール２１には、照明装置７１を設けることができる。
前記照明装置７１は、ポール２１に着脱可能に取り付ける複数の照明具７２と、各照明具７２を電気的に接続するリード線（図示せず）とからなり、前記照明具７２はポール２１に着脱可能に取り付けるクリップ状の取付枠体７３と、前記取付枠体７３に設ける小電球、発光ダイオードなどからなる照明灯７４とからなる。
したがって、複数の照明具７２をポール２１の適宜の位置にセットし、そのリード線をコンセントに差し込めば、照明灯７４が点灯するので、広告表示シート５１の内側から照明し、広告装置１の全体を照明することができる。
【００２１】
本考案の広告装置１は前記した構成であるから、使用に際しては店舗の店先、その他広告装置を設置する場所に台座６１を置き、支持フレーム３１及び保持フレーム４１を折り畳んだ状態のポール２１の下端を前記台座６１の凹部６２に挿着する。そして、支持フレーム３１及び保持フレーム４１を組み立てるとともに、上から広告表示シート５１を覆い被せると、柱状の広告体になるので、そのまま広告媒体となって店舗の広告に供することができる。
【００２２】
なお、予め支持フレーム３１及び保持フレーム４１を組み立ててから台座６１に挿着して広告表示シート５１を被着してもよいし、または支持フレーム３１及び保持フレーム４１を組み立てるとともに広告表示シート５１を被着したフレーム本体１１を台座６１に挿着してもよい。
【００２３】
店舗の閉店時若しくは休日においては、広告表示シート５１を取り外すとともに支持フレーム３１及び保持フレーム４１を折り畳んだ状態で室内に収納しておけば、破損したりいたずら書きされることがなく、長期間の使用に供することができる。
【００２４】
以上本考案を図面の実施例に基づいて説明したが、本考案は上記実施例に限定されるものではなく、実用新案登録請求の範囲に記載の構成を変更しない限り、どの様な構成でもよいものである。例えば、広告表示シート５１は円筒状に限らず、多角筒状にすることができるし、台座６１を使用しないで地中にポール２１の下端が挿入することができる小孔を設けてその位置に広告装置１を設置することもできる。
【産業上の利用可能性】
【００２５】
本考案は、店舗の屋外、その他の位置に、効果的に広告態様を表示するようにしたものである。
【図面の簡単な説明】
【００２６】
【図１】本考案の実施例を示す斜視図である。
【図２】図１の拡大した斜視図である。
【図３】本考案の要部を拡大した一部欠切斜視図である。
【符号の説明】
【００２７】
１    広告装置
１１    フレーム本体
２１    ポール
２２    単位ポール
２３    雄部
３１    支持フレーム
３２    第１の上ロクロ
３３    第１の親骨
３４    第１の下ロクロ
３５    第１の支骨
３６    第１のハジキ
４１    保持フレーム
４２    第２の上ロクロ
４３    第２の親骨
４４    第２の下ロクロ
４５    第２の支骨
５１    広告表示シート
５２    筒状シート本体
５３    上面部
５４    広告表示
６１    台座
６２    凹部
【図１】
0003126023.tif 000003
【図２】
0003126023.tif 000004
【図３】
0003126023.tif 000005